(57)【特許請求の範囲】
【請求項１】
電源ラインに接続された照明器具取付用の第１の電極端子と、
該第１の電極端子に対し取付、取り外し自在で、取り付けられたときに該電極端子より給電され、該第１の電極端子と構造を同じくする第２の電極端子を有するアダプタと、
該第２の電極端子に対し取り付け自在で、取り付けられたときに該アダプタより給電される照明器具と、
前記アダプタに配設され、又は、前記アダプタから分離自在であり、人の存在を感知する人感知手段と、
該人感知手段で人の存在が感知され、かつ該人の存在感知開始後所定時間経過しても前記人感知手段による検出信号の変動のないとき人の異常と判断する人異常判断手段と、
該人異常判断手段で人の異常と判断されたとき、又は該判断に伴いスピーカより発せられる音声案内に対し応答の無かったとき、該人の異常の報知、該人の異常のあったことを予め設定した電話番号へ連絡及び該相手先との会話のいずれか少なくとも一つを行う人異常連絡手段とを備え、
該人異常連絡手段及び前記人異常判断手段は前記アダプタとは独立した変換器に配設され、
前記第１の電極端子に給電するため屋根裏等に配設されている電源ラインと前記変換器に対し室内コンセント等を介して給電するため壁裏等に配設されている電源ライン以外に前記アダプタと変換器間には改造工事若しくは特別な配線工事で配線されるケーブルが存在しないことを特徴とする制御システム。
【請求項２】
電源ラインに接続された照明器具取付用の第１の電極端子と、
該第１の電極端子に対し取付、取り外し自在で、取り付けられたときに該電極端子より給電され、該第１の電極端子と構造を同じくする第２の電極端子を有するアダプタと、
該第２の電極端子に対し取り付け自在で、取り付けられたときに該アダプタより給電される照明器具と、
前記アダプタに配設され、又は、前記アダプタから分離自在であり、人の存在を感知する人感知手段と、
該人感知手段で人の存在が感知され、かつ該人の存在感知開始後所定時間経過しても前記人感知手段による検出信号の変動のないとき人の異常と判断する人異常判断手段と、
該人異常判断手段で人の異常と判断されたとき、又は該判断に伴いスピーカより発せられる音声案内に対し応答の無かったとき、該人の異常の報知、該人の異常のあったことを予め設定した電話番号へ連絡及び該相手先との会話のいずれか少なくとも一つを行う人異常連絡手段とを備え、
該人異常連絡手段は前記アダプタとは独立した変換器に配設され、
前記第１の電極端子に給電するため屋根裏等に配設されている電源ラインと前記変換器に対し室内コンセント等を介して給電するため壁裏等に配設されている電源ライン以外に前記アダプタと変換器間には改造工事若しくは特別な配線工事で配線されるケーブルが存在しないことを特徴とする制御システム。
【請求項３】
壁に埋め込まれ又は壁に取り付けられ又はコンセントに差し込み自在の前記アダプタとは別体のパネルであって、
該パネルには、
人の存在を感知可能な人感知手段と、
該人感知手段で検出した人感知信号に基づき人の異常が判断される人異常判断手段を備えたことを特徴とする請求項１又は請求項２記載の制御システム。
【請求項４】
電源ラインに接続された照明器具取付用の電極端子と、
該電極端子に対し取付、取り外し自在で、取り付けられたときに該電極端子より給電されるアダプタと、
該アダプタに対し取り付け自在で、取り付けられたときに該アダプタより給電される照明器具と、
前記アダプタに配設され、又は、前記アダプタから分離自在であり、人の存在を感知する人感知手段と、
部屋、通路、玄関等の出入口である扉の開閉を感知可能な扉感知センサと、
前記人感知手段で人の存在が感知された後、所定時間経過してもその後人の検知が解除されず、かつ、この所定時間内に前記扉感知センサによる扉の開閉感知がされないとき人の異常と判断する人異常判断手段と、
該人異常判断手段で人の異常と判断されたとき、又は該判断に伴いスピーカより発せられる音声案内に対し応答の無かったとき、該人の異常の報知、該人の異常のあったことを予め設定した電話番号へ連絡及び該相手先との会話のいずれか少なくとも一つを行う人異常連絡手段とを備えたことを特徴とする制御システム。
【発明の詳細な説明】
【技術分野】
【０００１】
本発明は制御システムに係わり、特に照明の消し忘れの防止、人の異常状態、火災、不法侵入の通報が行え、かつ装置の取り付けが簡単に行える制御システムに関する。
【背景技術】
【０００２】
近年、一人暮らしのお年寄りが増加傾向にあり、お年寄りの多くは何らかの体の不安を気遣いつつ生活を送っている。特に、健康に不安のあるお年寄りにとっては、自身の体調の異常を相手先に確実かつ素早く伝えられる方法がある場合には、かなり安心した日常生活が送れる。
【０００３】
また家庭内において、無駄な照明等をつけっぱなしの状態のことがよくある。更に、就寝中に生じた火災によって、特に子供や老人が逃げ遅れて犠牲となる場合が多い。一人暮らしを狙った泥棒等の不法侵入も増加傾向にある。
【発明の概要】
【発明が解決しようとする課題】
【０００４】
ところで、かかる体調異常の報知、照明の消し忘れの防止、火災や不法侵入の報知を素人でも出来る程度の簡単な工事で、かつ安価に提供出来るシステムは従来存在しない。
本発明はこのような従来の課題に鑑みてなされたもので、照明の消し忘れの防止、人の異常状態、火災、不法侵入の通報が行え、かつ装置の取り付けが簡単に行える制御システムを提供することを目的とする。
【課題を解決するための手段】
【０００５】
このため本発明（請求項１）は、電源ラインに接続された照明器具取付用の第１の電極端子と、該第１の電極端子に対し取付、取り外し自在で、取り付けられたときに該電極端子より給電され、該第１の電極端子と構造を同じくする第２の電極端子を有するアダプタと、該第２の電極端子に対し取り付け自在で、取り付けられたときに該アダプタより給電される照明器具と、前記アダプタに配設され、又は、前記アダプタから分離自在であり、人の存在を感知する人感知手段と、該人感知手段で人の存在が感知され、かつ該人の存在感知開始後所定時間経過しても前記人感知手段による検出信号の変動のないとき人の異常と判断する人異常判断手段と、該人異常判断手段で人の異常と判断されたとき、又は該判断に伴いスピーカより発せられる音声案内に対し応答の無かったとき、該人の異常の報知、該人の異常のあったことを予め設定した電話番号へ連絡及び該相手先との会話のいずれか少なくとも一つを行う人異常連絡手段とを備え、該人異常連絡手段及び前記人異常判断手段は前記アダプタとは独立した変換器に配設され、前記第１の電極端子に給電するため屋根裏等に配設されている電源ラインと前記変換器に対し室内コンセント等を介して給電するため壁裏等に配設されている電源ライン以外に前記アダプタと変換器間には改造工事若しくは特別な配線工事で配線されるケーブルが存在しないことを特徴とする。
また、本発明（請求項２）は、電源ラインに接続された照明器具取付用の第１の電極端子と、該第１の電極端子に対し取付、取り外し自在で、取り付けられたときに該電極端子より給電され、該第１の電極端子と構造を同じくする第２の電極端子を有するアダプタと、該第２の電極端子に対し取り付け自在で、取り付けられたときに該アダプタより給電される照明器具と、前記アダプタに配設され、又は、前記アダプタから分離自在であり、人の存在を感知する人感知手段と、該人感知手段で人の存在が感知され、かつ該人の存在感知開始後所定時間経過しても前記人感知手段による検出信号の変動のないとき人の異常と判断する人異常判断手段と、該人異常判断手段で人の異常と判断されたとき、又は該判断に伴いスピーカより発せられる音声案内に対し応答の無かったとき、該人の異常の報知、該人の異常のあったことを予め設定した電話番号へ連絡及び該相手先との会話のいずれか少なくとも一つを行う人異常連絡手段とを備え、該人異常連絡手段は前記アダプタとは独立した変換器に配設され、前記第１の電極端子に給電するため屋根裏等に配設されている電源ラインと前記変換器に対し室内コンセント等を介して給電するため壁裏等に配設されている電源ライン以外に前記アダプタと変換器間には改造工事若しくは特別な配線工事で配線されるケーブルが存在しないことを特徴とする。
更に、本発明（請求項３）は、壁に埋め込まれ又は壁に取り付けられ又はコンセントに差し込み自在の前記アダプタとは別体のパネルであって、該パネルには、人の存在を感知可能な人感知手段と、該人感知手段で検出した人感知信号に基づき人の異常が判断される人異常判断手段を備えたことを特徴とする。
更に、本発明（請求項４）は、電源ラインに接続された照明器具取付用の電極端子と、該電極端子に対し取付、取り外し自在で、取り付けられたときに該電極端子より給電されるアダプタと、該アダプタに対し取り付け自在で、取り付けられたときに該アダプタより給電される照明器具と、前記アダプタに配設され、又は、前記アダプタから分離自在であり、人の存在を感知する人感知手段と、部屋、通路、玄関等の出入口である扉の開閉を感知可能な扉感知センサと、前記人感知手段で人の存在が感知された後、所定時間経過してもその後人の検知が解除されず、かつ、この所定時間内に前記扉感知センサによる扉の開閉感知がされないとき人の異常と判断する人異常判断手段と、該人異常判断手段で人の異常と判断されたとき、又は該判断に伴いスピーカより発せられる音声案内に対し応答の無かったとき、該人の異常の報知、該人の異常のあったことを予め設定した電話番号へ連絡及び該相手先との会話のいずれか少なくとも一つを行う人異常連絡手段とを備えて構成した。
更に、本発明は、電源ラインに接続された照明器具取付用の電極端子と、該電極端子に対し取付、取り外し自在で、取り付けられたときに該電極端子より給電されるアダプタと、該アダプタに対し取り付け自在で、取り付けられたときに該アダプタより給電される照明器具と、前記アダプタに配設され人の存在を感知する人感知センサと、該人感知センサで検出した人感知信号を伝送する伝送手段とを有する少なくとも一つの照明ユニットと、前記伝送手段で伝送された人感知信号を受信する受信手段と、警戒モード指定手段で不法侵入警戒モードの開始が指定された後に前記受信手段で受信された人感知信号を基に人の存在を感知したとき不法侵入が行われたと判断する不法侵入判断手段を有する制御ユニットとを備え、前記電極端子に給電するため屋根裏等に配設されている電源ラインと前記制御ユニットに対し室内コンセント等を介して給電するため壁裏等に配設されている電源ライン以外に前記照明ユニットと前記制御ユニット間にはケーブルが存在しないことを特徴としてもよい。
更に、本発明は、前記人感知センサで検出された信号を基に前記照明器具に対する自動による入り切り操作が行われることを特徴としてもよい。
更に、本発明は、前記照明ユニットには、部屋、通路、玄関等の出入口である扉の開閉を感知可能な扉感知センサと、該扉感知センサで検出した扉感知信号を伝送する伝送手段とを有し、前記制御ユニットには、前記伝送手段で伝送された扉感知信号を受信する受信手段と、警戒モード指定手段で不法侵入警戒モードの開始が指定された後に前記受信手段で受信された扉感知信号を基に不法侵入が行われたと判断する不法侵入判断手段とを有することを特徴としてもよい。
更に、本発明は、前記人感知センサで人の存在が感知され、かつ該人の存在感知開始後所定時間経過しても前記人感知センサ及び／又は前記扉感知センサによる検出信号の変動のないとき人の異常と判断する人異常判断手段と、該人異常判断手段で人の異常と判断されたとき、又は該判断に伴いされる所定の案内に対し応答の無かったとき、該人の異常の報知、該人の異常の所定の相手先への連絡及び該相手先との会話のいずれか少なくとも一つを行う人異常連絡手段とを備えたことを特徴としてもよい。
更に、本発明は、前記人感知センサは前記照明ユニットから分離自在であることを特徴としてもよい。
更に、本発明は、壁に埋め込まれ又は壁に取り付けられ又はコンセントに差し込み自在の操作パネルであって、該操作パネルには、人の存在を感知可能な人感知センサと、該人感知センサで検出した人感知信号を伝送する伝送手段とを有し、前記制御ユニットには、前記伝送手段で伝送された人感知信号を受信する受信手段を有し、前記不法侵入判断手段では，前記警戒モード指定手段で不法侵入警戒モードの開始が指定された後に前記受信手段で受信された人感知信号を基に人の存在を感知したとき不法侵入が行われたと判断されることを特徴としてもよい。
なお、本発明は、電極が内蔵されたソケット又はプラグ等の照明取付部材と、該照明取付部材に対し着脱自在の電極部と、該電極部より給電されるアダプタと、該アダプタに配設された人感知センサと、該人感知センサで人の存在を感知したとき発する人存在感知信号を基に照明を含む電気器具等及び／又は人の異常を含む防災を制御する制御手段とを備えて構成されてもよい。
【０００６】
照明取付部材は、電極が内蔵されたソケット又はプラグ等である。電極部は、この照明取付部材に対し着脱自在である。アダプタはこの電極部より給電される。人感知センサはアダプタに取り付けられてもよいが、アダプタから分離されるようにしてもよい。この人感知センサで人の存在を感知したとき人存在感知信号が発せられる。そして、制御手段では、この人存在感知信号を基に照明を含む電気器具等及び／又は人の異常を含む防災を制御する。アダプタは、照明用傘及び照明回路部と一体化して構成されてもよい。
以上により、アダプタ等の取り付けが容易であり、かつアダプタ等への給電が容易に行える。
【０００７】
また、本発明は、前記アダプタ又は前記電極部を介して給電される照明器具等と、該照明器具等の入り切りが操作される入切操作手段と、前記制御手段では、前記人存在感知信号を基に前記入切操作手段の操作を行うことを特徴としてもよい。
照明器具等は、アダプタ又は電極部を介して給電される。入切操作手段では、照明器具等の入り切りが操作される。
【０００８】
制御手段では、人存在感知信号を基に入切操作手段の操作を行う。なお、人感知センサで人の存在を感知しなくなったとき、入切操作手段の切り操作を行うが、タイマー設定時間経過した後に切り操作を行うようにしてもよい。
このことにより、照明の点灯、消灯操作が自動で行える。従って、消し忘れを防止出来、省電力である。
【０００９】
更に、本発明は、壁に埋め込まれ又は壁に取り付けられ又はコンセントに差し込み自在の操作パネルと、該操作パネルに配設され、給電回路の入り切り操作を行う入切操作手段と、人の存在を感知可能な人感知センサと、該人感知センサで人の存在を感知したとき発する人存在感知信号を基に前記入切操作手段及び／又は人の異常を含む防災を制御する制御手段とを備えて構成してもよい。
【００１０】
操作パネルは、壁に埋め込み又は取り付られる。また、操作パネルはコンセントに差し込み自在なものとしても構成可能である。入切操作手段は、操作パネルに配設され、照明器具やラジオ、テレビ等の給電回路の入り切り操作が行われる。人感知センサは、人の存在を感知可能である。この人感知センサで人の存在を感知したとき人存在感知信号が発せられる。そして、制御手段では、この人存在感知信号を基に入切操作手段及び／又は人の異常を含む防災を制御する。
このことにより、照明等の点灯、消灯等の操作が自動で行える。従って、消し忘れを防止出来、省電力である。
【００１１】
更に、本発明は、部屋、通路、玄関等の出入口である扉の開閉を感知可能な扉感知センサを備え、前記制御手段は、前記人感知センサで感知された人の存在信号又は前記人感知センサで人の不存在が感知され、かつ前記扉感知センサで感知された前記扉の開信号を基に前記入切操作手段の入り操作が行われることを特徴としてもよい。
【００１２】
扉感知センサは、照明器具等が配設された部屋、通路、玄関等の出入口である扉の開閉を感知可能である。扉感知センサは、赤外線による以外に、リミットスイッチ、振動スイッチ、磁石による磁界変化検出型スイッチ等であってもよい。
【００１３】
制御手段は、人感知センサで感知された人の存在信号又は人感知センサで人の不存在が感知され、かつ扉感知センサで感知された扉の開信号を基に入切操作手段の入り操作が行われる。
【００１４】
扉の開放状態が維持されているときには、人感知センサで人の存在を感知したとき入切操作手段の入り操作を行う。一方、扉の開閉が行われている場合には、人感知センサで室内等に人の不存在が感知され、かつ扉感知センサで扉の開を感知したときには、人が室内に入るときなので、入切操作手段の入り操作を行う。  以上により、精度良く照明器具等を操作可能である。
【００１５】
更に、本発明は、前記人感知センサで人の存在が感知され、かつ該人の存在感知開始後所定時間経過しても前記人感知センサ及び／又は前記扉感知センサによる検出信号の変動のないとき人の異常と判断する人異常判断手段と、該人異常判断手段で人の異常と判断されたとき、又は該判断に伴いされる所定の案内に対し応答の無かったとき、該人の異常の報知、該人の異常の所定の相手先への連絡及び該相手先との会話のいずれか少なくとも一つを行う人異常連絡手段とを備えて構成してもよい。
【００１６】
人異常判断手段は、人感知センサで人の存在が感知され、かつこの人の存在感知開始後所定時間経過しても人感知センサ及び／又は扉感知センサによる検出信号の変動のないとき人の異常と判断する。人が存在すれば必ず部屋等の間を移動する。この状態を人感知センサ及び／又は扉感知センサによる検出信号の変動で検出する。人の存在感知開始後、所定時間経過しても検出信号の変動を確認出来ない場合には人の異常と判断する。
【００１７】
人異常連絡手段では、人異常判断手段で人の異常と判断されたとき、又はこの判断に伴いされる所定の案内に対し応答の無かったとき、この人の異常の報知、この人の異常の所定の相手先への連絡及びこの相手先との会話のいずれか少なくとも一つを可能とする。
以上により、人が倒れている等の状況を把握出来、相手先に知らせることが出来る。このため、人は安心して日常生活を送れる。
【００１８】
更に、本発明は、前記人の緊急状態を知らせる緊急ボタンと、該緊急ボタンが押されたとき前記人の緊急状態の報知、該人の異常の所定の相手先への連絡及び該相手先との会話のいずれか少なくとも一つが行える人異常連絡手段とを備えて構成してもよい。
【００１９】
以上により、緊急ボタンで人の緊急状態を自ら相手先等に知らせることが出来るため、更に安心である。
【００２０】
更に、本発明は、人が外出中か在宅中かを操作する操作手段と、該操作手段による操作により外出中が選択され、かつ前記人感知センサ及び／又は前記扉感知センサによる検出信号の変動があったとき不法侵入と判断する不法侵入判断手段と、該不法侵入判断手段で不法侵入と判断されたとき所定の相手先に報知する通信手段とを備えて構成してもよい。
【００２１】
操作手段では、人が外出中か在宅中かを操作可能である。この操作は現場におけるボタン操作で行ってもよいし、電話による遠隔操作で行ってもよい。不法侵入判断手段では、操作手段による操作により外出中が選択され、かつ人感知センサ及び／又は扉感知センサによる検出信号の変動があったとき不法侵入と判断する。
【００２２】
通信手段では、不法侵入判断手段で不法侵入と判断されたとき所定の相手先に報知する。
以上により、不法侵入を素早く検出し、報知出来るので安全である。
【００２３】
更に、本発明は、火災を検知する火災検知手段と、該火災検知手段により火災を検知したとき該火災の発生及び／又は該火災の発生場所を報知する火災報知手段とを備えて構成してもよい。
【００２４】
火災検知手段により火災を検知可能なので安心である。また、火災が発生した場合でもどの方向に逃げたらよいのか等分かるので更に安心である。
【００２５】
更に、本発明は、リモコンと、該リモコンから送られる信号を受信する受信手段とを備え、前記人異常判断手段における人の存在の感知が、前記人感知センサによる感知と共に前記受信手段で受信された信号に基づき判断されることを特徴としてもよい。
【００２６】
リモコンは、照明器具、テレビ、ラジオ、ビデオ、カセットデッキ、エアコン、健康機器等の制御が可能である。ＯＮ、ＯＦＦのみならず、音量や光度の調節が可能なボリュームを備えてもよい。受信手段では、リモコンによる制御が可能なすべての対象機器についての信号を受信する。受信手段は、リモコンに対応され、赤外線、電波、超音波等のセンサで構成可能である。
【００２７】
リモコンの指向性が広い場合等には十分受信可能である。そして、これらのスイッチ類が操作されている状況では人は異常状態にはないと判断できる。従って、リモコンのスイッチ類が操作されている場合を人感知センサによる人の感知に加えることで、より人保護の精度を向上させることができる。
【００２８】
更に、本発明は、リモコンと、該リモコンから送られる信号を受信する受信手段とを備え、前記入切操作手段の入り切り操作が前記受信手段で受信された信号に基づき行われることを特徴としてもよい。
【００２９】
リモコンからは照明器具の光度の調節を可能としてもよい。リモコンからも照明器具の入り切り操作を可能とすることで、お年寄り等には楽である。
【００３０】
更に、本発明は、前記受信手段が、前記人感知センサ又は前記扉感知センサと兼用されたことを特徴としてもよい。
【００３１】
受信手段を、人感知センサ又は扉感知センサと兼用することで簡素かつ安価に構成できる。
更に、本発明は、照明器具の入り切り操作が行われる入切操作手段と、人の存在を感知可能な人感知センサと、前記人が外出中か在宅中かを操作する操作手段と、該操作手段による操作により外出中が選択され、かつ前記人感知センサによる検出信号の変動があったとき不法侵入と判断する不法侵入判断手段と、該不法侵入判断手段で不法侵入と判断されたとき、前記入切操作手段の入り操作を行う制御手段とを備えて構成してもよい。
不法侵入者が侵入しようとする際には、突然照明等が点灯する。このため、被害無く退散する可能性が大きい。
【発明の効果】
【００３２】
以上説明したように本発明によれば、照明の点灯、消灯操作が自動で行える。従って、消し忘れを防止出来、省電力である。また、人の異常状態、火災、不法侵入の通報が行え、かつ装置の取り付けが簡単に行える。
【図面の簡単な説明】
【００３３】
【図１】本発明の第１実施形態の側面断面図
【図２】同上底面図
【図３】本発明の第１実施形態の回路図
【図４】扉にリフレクタを取り付けた例
【図５】リフレクタ取り付け方法の一例
【図６】リフレクタ取り付け方法の別例
【図７】自動照明点滅動作のフローチャート
【図８】本発明の第２実施形態の側面断面図
【図９】本発明の第３実施形態の構成図
【図１０】本発明の第４実施形態の構成図
【図１１】本発明の第５実施形態の回路構成図
【図１２】同上別回路構成図
【図１３】同上別回路構成図
【図１４】本発明の第６実施形態の回路構成図
【図１５】本発明の第７実施形態の回路構成図
【図１６】本発明の第８実施形態の回路構成図
【図１７】本発明の第９実施形態の回路構成図
【発明を実施するための形態】
【００３４】
以下、本発明の実施形態について説明する。本発明の第１実施形態の側面断面図を図１に、また底面図を図２に示す。図１において、アダプタ５は２層構造となっており、アダプタ上層部５Ａとアダプタ下層部５Ｂで構成されている。アダプタ上層部５Ａの中央上部には、電球３の電極部３ａと形状及び電極構造を同じくする電極部７が突設されている。
【００３５】
そして、この電極部７は、ソケット１に螺入されることで装着自在なようになっている。このアダプタ上層部５Ａの下部中央には開口９が設けられている。そして、この開口９には、アダプタ下層部５Ｂの中央上部に突設された円筒部１１ａが貫通されている。円筒部１１ａの上端には、水平にかつ円盤状に折り返された折り返し片１１ｂが配設されている。
【００３６】
アダプタ下層部５Ｂは、折り返し片１１ｂ、開口９によりアダプタ上層部５Ａに対し３６０度程度回動可能なようになっている。円筒部１１ａの内側にはケーブルが通されている。アダプタ下層部５Ｂの側部には人の存在を感知するための人感知センサ１３が張出部材１４を介して配設されている。人感知センサ１３は、例えば焦電型赤外線センサである。
【００３７】
また、扉感知センサ１５の送光素子及び受光素子は、水平支軸１６回りに俯仰角を調整可能な角状筒部１７内に配設されている。角状筒部１７の電球３に対向する底面は、電球３からの光が入力し難いように上面より延長されている。扉感知センサ１５は例えば赤外線センサである。
【００３８】
角状筒部１７の下部中央にはフック２１ａが設けられ、このフック２１ａより角状筒部１７の外周回りに等距離隔てた位置にフック２１ｂ、２１ｃが設けられている。フック２１ｃは、フック２１ｂの図中裏側に相当する箇所に配置されている。フック２１ａ、２１ｂ、２１ｃには紐２３ａ、２３ｂ、２３ｃが掛けられている。
【００３９】
そして、この紐２３ａ、２３ｂ、２３ｃが張られたときには、紐２３ａが角状筒部１７の長手方向に平行となるようになっている。紐２３ａ、２３ｂ、２３ｃの端部にはリング２５が配設されている。
【００４０】
リング２５には、先端部にかぎ部２７ａのついた金掛具２７が掛け外し可能なようになっている。金掛具２７の基端部には紐掛部２７ｂが形成されており、この紐掛部２７ｂには紐２９が結ばれている。アダプタ下層部５Ｂの下部中央には、内側に電極部３１が形成された内部ソケット３３が配設されている。そして、この内部ソケット３３には、ソケット１より外された電球３の電極部３ａがねじ込まれることで電球３が装着可能なようになっている。
【００４１】
アダプタ下層部５Ｂには、電球３による熱の対流を円滑にするための風胴３４Ｂが設けられている。内部ソケット３３は、この風胴３４Ｂ内上部に水平に張り出された十字状のフレーム３６Ｂ及びこのフレーム３６Ｂの内側に固定された筒体３８Ｂにより、アダプタ下層部５Ｂの内側に固定されている。
【００４２】
アダプタ上層部５Ａ側にも同様に風胴３４Ａが設けられ、十字状のフレーム３６Ａ及びこのフレーム３６Ａの内側に固定された筒体３８Ａにより、アダプタ上層部５Ａの内側に固定されている。
【００４３】
風胴３４Ｂの下部周囲には傘４２が配設され、電球３の光が各センサに直接入力されないようになっている。アダプタ下層部５Ｂの側部には手動、自動を切り換えるプルスイッチ３７が設けられ、プルスイッチ３７は紐３９を引くことにより操作可能なようになっている。
そして、操作の結果は、アダプタ下層部５Ｂの側部に配設された窓部３２に、手動の場合は白、自動の場合は赤等として色分け表示されるようになっている。
【００４４】
本発明の第１実施形態の回路図を図３に示す。図３において、交流はソケット１を介して電極部７に給電される。そして、この交流は、自動、手動の切替えスイッチであるプルスイッチ３７を介して電球３に給電されるようになっている。
【００４５】
手動が選択された場合には、室内の壁に埋設された壁埋め込み型スイッチ４７より入切りの操作が可能であり、自動が選択された場合にはリレー５１により入り操作、リレー５２により切り操作可能なようになっている。また、リレー５２により、手動の場合にも電球３の消し忘れの際には、所定時間経過後に切り操作可能なようになっている。なお、プルスイッチ３７の選択如何によらず、後述するリモコンによりリレー５１、５２を操作し点灯、消灯が可能である。
【００４６】
一方、交流はトランス５３を介してコンバータ５５で直流に変換されるようになっている。この直流分は、演算回路５４、人感知センサ１３及び扉感知センサ１５に給電される。人感知センサ１３及び扉感知センサ１５で感知された信号は、それぞれ演算回路５４に入力されるようになっている。演算回路５４で演算された結果によりリレー５１及びリレー５２が駆動されるようになっている。
【００４７】
次に、本発明の第１実施形態の動作を説明する。
アダプタ５は、既存の電球３をソケット１より一旦外し、この電球３の代わりにアダプタ５の電極部７をソケット１にねじ込むことで装着する。その後、アダプタ５の内部ソケット３３に対し外された電球３をねじ込む。リング２５には金掛具２７のかぎ部２７ａを予め掛けておく。
【００４８】
一方、図４に示すように、扉４１には赤外線を反射可能なリフレクタ４３を適所に張り付ける。なお、このリフレクタ４３は、図５、図６に例示するように、リフレクタ４３の面が扉感知センサ１５に向かうように、糊着面４５より任意角度傾斜可能なアングル部材４９Ａ、４９Ｂに張り付けられてもよい。
【００４９】
リフレクタ４３まで紐２９を引っぱることで支軸１６回りに角状筒部１７を俯仰させ、扉感知センサ１５がリフレクタ４３に直接向かうように設定することが出来る。俯仰角を設定後にはリング２５より金掛具２７を外す。
【００５０】
このとき、リング２５は図１の点線で示すように垂下される。このため、再び角状筒部１７の俯仰角の調整が必要になった場合には、金掛具２７を持ち、先端部のかぎ２７ａをリング２５に掛けることで簡単に俯仰角の再設定が可能である。
【００５１】
なお、金掛具２７、リング２５、フック２１等は、扉感知センサ１５の指向性如何により設定俯仰角が粗くても十分動作可能な場合には不要である。また、張出部材１４は電球３の照度等との関係如何では不要である。
以上により、アダプタ５の取り付け及び扉感知センサ１５等の設定は簡単に行える。また、特別な配線工事は不要である。
【００５２】
次に図７のフローチャートを基に自動照明点滅動作の説明をする。
ステップ１（図中Ｓ１と略す。以下同旨）では、自動モードか手動モードかを、紐３９を引きプルスイッチ３７を操作することで選択する。ステップ１で手動モードが選択された場合には、壁埋め込み型スイッチ４７により電球３の入り切りが可能である。
【００５３】
ステップ１で自動モードが選択された場合には、ステップ３で室内の暗さが設定値以下か否か判断される。室内の明るさが図示しない光電素子により検出され、電圧出力される。この電圧値を設定値と比較し、設定値以下か否か判断する。設定値以下のとき室内は暗いと判断され、ステップ５に進む。
【００５４】
ステップ５では、人感知センサ１３により室内に人が存在するか否か判断する。人が存在すれば熱が発生されるので、この熱を人感知センサ１３で感知する。そして、人感知センサ１３からの出力電圧を設定電圧値と比較し、設定電圧値以上のとき人が存在すると判断し、設定電圧値未満のとき人が存在しないと判断する。
【００５５】
但し、ステップ３及びステップ５は、光電素子を別途配設することなく処理が可能である。例えば人感知センサ１３に焦電センサを用い、背景と人からの赤外線量を比較するようにすれば、背景の明るい内は動作しないように出来る。この場合、背景が暗くなることで焦電センサが機能し、かつ人から感知される熱量が設定電圧値未満となったとき人が存在しないと判断する。
【００５６】
扉感知センサ１５の送光素子から出力された光はリフレクタ４３で反射され、受光素子に入力される。ステップ７で扉４１が開かれると扉感知センサ１５の受光素子に入力される光量が減り、出力電圧が低下する。この電圧を設定電圧値と比較し、設定電圧値未満になったとき扉４１が開かれたと判断する。そして、ステップ９でリレー５１をＯＮして電球３を点灯する。
【００５７】
一方、扉４１がもともと閉じられていない場合には、ステップ１１で人感知センサ１３により人の存在が検知された場合にステップ９で電球３を点灯する。その後、ステップ１３で人の存在が検知され続ける限り電球３の点灯状態を継続する。
【００５８】
人の存在が検知されなくなったとき、タイマー設定された時間経過後にステップ１５でリレー５２をＯＮして電球３を消灯する。また、ステップ１で手動モードが選択された場合でも、ステップ１３で人の存在検知を行い、人の存在が検知されなくなったとき、タイマー設定された時間経過後にステップ１５でリレー５２をＯＮして電球３を消灯する。
【００５９】
なお、人感知センサ１３が光による影響を受ける場合には、人感知センサ１３部分は取り外し可能として、延長ケーブルにより光量の少ない光による影響の少ない箇所に設置可能なようにしてもよい。
【００６０】
この場合、例えば壁等に人感知センサ１３の内蔵されたユニットを配置し、所定高さ以上に指向性を設定すれば、人感知センサ１３が人以外の犬、猫等の動物に対して感知するのを防止出来る。アダプタ５の下部周囲には、電球３を収納可能なグローブが取り付けられるようにしてもよい。
【００６１】
更に、扉感知センサ１５に代えて、アダプタ５より延長コードを介して扉４１にリミットスイッチ、振動スイッチ、磁石による磁界変化検出型スイッチ等を配設するようにしてもよい。
【００６２】
以上により、暗い室内に人が入るとき、扉４１を少し開けるだけで電球３が点灯され室内が明るくなる。このため、明るい部屋に入ることが出来る。また、扉４１が開放状態のままのときは人が暗い室内に人った時点で点灯される。
【００６３】
但し、人感知センサ１３の指向性を広くとり、扉４１まで届くように設定しておけば人が暗い室内に人る直前に点灯することも可能である。室内より人がいなくなったとき、所定時間後に室内は消灯される。特にトイレ等の電灯の消し忘れに有効である。このため、省電力である。
【００６４】
また、廊下や階段等の通路であって、扉とは無関係に人の検知によってのみ照明を入切り操作したい場合には、アダプタ５に角状筒部１７は不要であり、人感知センサ１３のみを配設する。
【００６５】
なお、電球３による光の影響を考慮して角状筒部１７を配設した。しかしながら、扉感知センサ１５の受光素子に対し、発光と同一の周波数の赤外線を通過させる光学フィルタを設置すれば、角状筒部１７を例えば傘４２の内側に配設することもできる。
【００６６】
また、扉感知センサ１５の送光素子からパルスを送信するようにしたり、例えばＭ系列信号等の符号を送信するようにしてもよい。Ｍ系列信号は、２値（０と１、１と−１等）をとる２P−１（Ｐは適当な正整数）を周期とする２進疑似乱数列である。受信した信号をメモリに保存し、この受信信号を送信信号との間で相関をとる。
【００６７】
そして、相関の結果に従い、出力された波形を設定値と比較し、設定値以下になったときに扉４１が開かれたことを判断する。
以上により、電球３による光の影響を受けても扉４１の感知精度を確保することができる。
【００６８】
次に、本発明の第２実施形態について説明する。本発明の第２実施形態の側面断面図を図８に示す。なお、図１と同一要素のものについては同一符号を付して説明は省略する。ロック式シーリングプラグのボディ９１には、もともと天井吊り下げ型照明器具９０の角型引掛シーリングプラグ９３が掛止されていたものである。
【００６９】
アダプタ上層部１０５Ａの上部には、ボディ９１に対し掛止可能なように掛止電極部９５が設けられている。アダプタ上層部１０５Ａの下部には、アダプタ下層部１０５Ｂが、折り返し片１１ｂ、開口９によりアダプタ上層部１０５Ａに対し３６０度程度回動可能なようになっている。
【００７０】
アダプタ下層部１０５Ｂの底部には、角型引掛シーリングプラグ９３が掛止可能なように掛止電極受部９７が配設されている。アダプタ上層部１０５Ａの周端上部と天井間には化粧部材９９が包囲されている。
【００７１】
かかる構成において、天井吊り下げ型照明器具９０でもアダプタ１０５の取り付け及び各センサの設定が容易に行える。なお、アダプタ１０５は、天井吊り下げ型照明器具９０の傘及び照明回路部と一体化して構成することも可能である。  次に、本発明の第３実施形態について説明する。
【００７２】
本発明の第３実施形態は壁埋め込み型スイッチに関するものである。図９において、壁埋め込み型化粧パネル６１には、自動モード、手動モードを切り換えるスイッチ６３及び室内照明を入り切り操作するスイッチ６５が配設されている。
【００７３】
壁埋め込み型化粧パネル６１の下部にはトランス収納部６１Ａが配設されている。また、壁埋め込み型化粧パネル６１には、開口６６、６７が設けられており、人感知センサ６９は開口６６内を左右に旋回自在なようになっている。扉感知センサ７１の内蔵された筒部７３は開口６７内を所定角度旋回自在なようになっている。
【００７４】
フック７５ａ、７５ｂ、７５ｃには紐７７ａ、７７ｂ、７７ｃが掛けられている。紐７７ａ、７７ｂ、７７ｃの端部にはリング７９が配設されている。そして、この紐７７ａ、７７ｂ、７７ｃが張られたときには、リング７９がセンサ面の垂直上方に位置するようになっている。リング７９には、先端部にかぎ８１ａのついた金掛具８１が掛け外し可能なようになっている。
【００７５】
金掛具８１の基端部には紐掛部８１ｂが形成されており、この紐掛部８１ｂには紐８３が結ばれている。リフレクタ４３まで紐８３を引っぱることで筒部７３を旋回させ、扉感知センサ７１がリフレクタ４３に直接向かうように設定することが出来る。旋回角を設定後にはリング７９より金掛具８１を外す。
【００７６】
このとき、リング７９は図６の点線で示すように垂下される。なお、人感知センサ６９及び筒部７３の突設部分を設定後に保護するため透明な蓋を被せるようにしてもよい。
【００７７】
かかる構成において、スイッチ６３で自動モードが選択されたとき、図７のフローチャートに沿って照明器具の点滅操作が行われる。一方、手動モードが選択されたとき、スイッチ６５により室内照明を入り切り操作可能である。人感知センサ６９は水平に指向性を広く有するようにする。
【００７８】
このため、１つのセンサでは指向性が狭い場合には例えば３個を水平方向に指向性中心角度を異ならせるように並べて配置する。特に下方向の指向性が抑制されるように、遮蔽物をセンサ光源入力下部に配設等するのが望ましい。
【００７９】
このことにより、人以外の犬、猫等の動物に対して不感知とすることが出来る。金掛具８１、リング７９、フック７５等は、扉感知センサ７１の指向性如何により設定旋回角が粗くても十分動作可能な場合には不要である。
【００８０】
また、壁埋め込み型化粧パネル６１自体を壁面より突設させた場合には、図９のように壁埋め込み型化粧パネル６１の表面ではなく、側面に扉感知センサ７１及び人感知センサ６９の内のいずれか少なくとも一方を配設することも可能である。
【００８１】
更に、扉感知センサ７１及び人感知センサ６９は感度を良くするため旋回可能としたが、感度を犠牲としても動作可能であれば予め所定の向きに固定とされてもよい。
【００８２】
なお、扉感知センサ７１及び人感知センサ６９の配設位置は、開口６６、６７及び人感知センサ６９、筒部７３の大きさ、形状を統一し、左右いずれの方向にも対処可能なように回動自在の基板に対し人感知センサ６９、筒部７３を部品として着脱自在としてもよい。
【００８３】
基板と人感知センサ６９、筒部７３には、それぞれ電極端子、制御端子を配設し、それぞれの電極端子、制御端子同士が部品としての人感知センサ６９、筒部７３の装着時に当接されるようにする。但し、この場合には扉感知センサ７１及び人感知センサ６９の制御線の切替えスイッチを別途設ける必要がある。
【００８４】
しかしながら、基板側の制御端子には予め扉感知センサ７１及び人感知センサ６９用に２端子配設しておき、人感知センサ６９、筒部７３側でいずれか一方の端子のみと当接するようにすれば切替えスイッチは不要となる。また、壁埋め込み型化粧パネル６１自体を上下逆に取り付けることで左右の位置を設定するようにしてもよい。
【００８５】
また、廊下や階段等の通路であって、扉とは無関係に人の検知によってのみ照明を入切り操作したい場合には、壁埋め込み型化粧パネル６１に筒部７３は不要であり、人感知センサ６９のみを配設する。
なお、人が寝室において就寝する場合等は、スイッチ６３を手動に切替えスイッチ６５を入り切り操作する。
【００８６】
次に、本発明の第４実施形態について説明する。
本発明の第４実施形態は壁取り付け型スイッチに関するものである。図１０に示すように壁取り付け型スイッチは、電源タップと兼用することも可能である。なお、図９と同一要素のものについては同一符号を付して説明は省略する。
【００８７】
パネル１１１は壁等に取り付け可能であり、電源プラグ１１３により他のコンセントから給電される。コンセント１１５にはスタンド１１７の他、ラジオ等も接続可能である。そして、人が不在となったとき不要となったこれらの電源を切ることが可能であり、また人が感知されたとき再び電源の投入が可能である。従って、省電力である。
【００８８】
なお、図１０において、電源プラグ１１３及びこの電源プラグ１１３に続くケーブルを省略し、パネル１１１の背面に電極端子を突設し、コンセントに対し直接この電極端子を差し込み自在としてもよい。また、この電極端子は、可動端子としてパネル１１１内に収納自在としてもよい。
【００８９】
次に、本発明の第５実施形態について説明する。
本発明の第５実施形態は、第１〜第４実施形態を基に人の移動を検知し、静止状態が継続する場合には人身の異常を検出、報告等するものである。
【００９０】
本発明の第５実施形態の回路構成図を図１１に示す。図１１において、人感知センサ１３及び扉感知センサ１５で検出された信号はそれぞれ演算回路５４でパルス信号化され、変調器１２１により搬送波で変調され、電源ラインに乗せられるようになっている。
【００９１】
パルス信号は、図示しないダイヤルスイッチの切替えにより、各機器毎にパルス幅を異ならせることが可能である。また、パルス信号は符号化するようにしてもよい。
【００９２】
電源ラインに乗せられたパルス信号は、コンセント１２２を介して変換器１２０に伝えれる。変換器１２０は、持ち運び可能であり、コンセント接続により室内の何処でも使用可能である。
【００９３】
そして、変換器１２０のフィルタ１２３で交流と分離される。その後、復調器１２５で搬送波が除去され、パルス整形器１２７でパルス整形される。このパルス信号は演算部１２９に入力されるようになっている。
なお、アダプタ５についての回路構成を例に説明したが、他の機器であるアダプタ１０５、壁埋め込み型化粧パネル６１、パネル１１１等でも同様である。
【００９４】
かかる構成において、人感知センサ１３で人が検出されたとき演算回路５４より人感知ＯＮ信号が発せられる。その後人が検出されなくなったとき人感知ＯＦＦ信号が発せられる。また、扉感知センサ１５で扉４１が開になったとき演算回路５４より扉感知ＯＮ信号が発せられる。
【００９５】
扉４１が閉になったとき扉感知ＯＦＦ信号が発せられる。かかるパルス信号は昼夜を問わず発せられる必要がある。このため、室内の明るさや背景とは無関係に人が検出された場合、扉の開閉時にパルス出力されるものとする。このため、出来るだけ室内の明るさの低い位置にセンサを配置するのが望ましい。
【００９６】
また、センサ出力は背景と比較しないものとする。検出されたパルス信号は、それぞれ電源ラインに乗せられ搬送される。その後、復調されたパルス信号は演算部１２９に入力される。なお、パルス信号はまた、手動、自動モードにかかわらず発せられる。
【００９７】
人感知センサ１３で人が検知され、人感知ＯＮ信号が発せられた後、所定時間を経過しても、人感知ＯＦＦ信号が発せられないとき、又は人感知ＯＮ信号が発せられた後、所定時間を経過しても、その後いずれの機器からも何らのパルス信号も演算部１２９に入力されないとき、演算部１２９では人が倒れている等の異常状態と推定する。
【００９８】
この場合、まずスピーカ１２８より、「大丈夫ですか。部屋を移動出来ますか。」等の移動を促す音声案内を行い、その後も演算部１２９で何らのパルス信号も受信しないとき緊急状態と判断する。
【００９９】
演算部１２９で緊急状態と判断されたとき、電話機１３７がダイヤル自動接続回路１３５により予め設定した電話番号に接続される。その後、音声ＩＣにより相手先に人の異常が伝えられる。
【０１００】
電話機１３７は、各室内の移動性を考慮して携帯電話が望ましい。そして、この電話機１３７は変換器１２０と一体構成されている。また、電話機１３７はモデムを介して他の電話機と通信回線を共有出来るようにしてもよい。
なお、人感知センサ１３又は扉感知センサ１５を利用して、別途配設されるリモコンから送信される赤外線を受信可能としてもよい。
【０１０１】
但し、リモコンからの信号の受信のために独立したセンサを配設するようにしてもよい。この場合には、受信される信号が電波や超音波、赤外線等でも可能である。人感知センサ１３や別途配設するセンサ等により受信された信号は、演算回路５４に入力されるようになっている。そして、演算回路５４で演算された結果によりリレー５１及びリレー５２が駆動されるようになっている。
【０１０２】
リモコンは、電球３を制御すると共にテレビ、ラジオ、ビデオ、カセットデッキ、エアコン、健康機器等の制御も兼用することが可能である。ＯＮ、ＯＦＦのみならず、音量や光度等の調節が可能なボリュームを備えてもよい。リモコンを複数の制御対象機器で兼用する場合には、各制御対象機器毎にＩＤコードを割り付けて制御信号と共に送信する。受信の際には、このＩＤコードを判断することで各制御対象機器を区別可能である。従って、例えば、電球３の制御に対し独自のＩＤコードを割り付ければ電球３のみを制御可能である。
【０１０３】
リモコンのスイッチ類が操作されている状況では人は異常状態にはないと判断できる。リモコンによる制御が可能なすべての対象機器についての信号を受信可能としたことで、いずれかの機器の制御が行われた場合に人の安全を確認できる。人の安全の確認に際しては、いずれの制御対象機器に対する信号かを区別する必要はなく、リモコンからいずれかの制御信号を受信したことを確認するだけで人が安全であると判断する。
従って、リモコンは、使用されている信号が赤外線等で共通してさえいれば、電球３の制御用リモコンとは別個に配設されたリモコンであっても適用可能である。また、「大丈夫ですか。」等の音声案内に対してリモコンを操作することでも応答可能である。
【０１０４】
信号は、リモコンの指向性が広い場合等には制御対象機器に向けた方向以外であっても十分受信可能である。また、リモコンの指向性が狭い場合には広くすることが望ましい。
このように、リモコンのスイッチ類が操作されている場合を人感知センサによる人の感知に加えることで、人保護の精度を一層向上させることができる。
【０１０５】
また、各機器単位で緊急状態を推定するようにしてもよい。図１２に回路構成図を示す。図１２において、演算回路５４から出力された音声信号は、スピーカ５６より出力されるようになっている。この場合には次のように行う。
【０１０６】
人感知センサ１３により演算回路５４で人が検知された後、所定時間を経過しても、その後人の検知が解除されず、かつこの所定時間内に扉の開閉感知がされないとき、人が倒れている等の緊急状態と推定し、演算回路５４より緊急信号を発するようにしてもよい。なお、この場合には、各機器より同一仕様の緊急信号のみが発せられることとなるためダイヤルスイッチは不要である。
【０１０７】
例えば、人が入浴中の場合について説明する。所定時間は予めタイマー設定可能とする。このタイマー設定を３０分としたとき、人感知センサ１３により人が検知された後、３０分を経過しても、その後人の検知が解除されず、かつ扉の開閉感知がされないとき、「大丈夫ですか。リフレクタに手をかざしてみて下さい。」の案内をスピーカ５６より流す。人が体調に異常の無いとき、リフレクタ４３に手をかざすことで、扉感知センサ１５への赤外線の受光量が減る。
【０１０８】
演算回路５４では、この受光量の変化を扉の開としてとらえ、人が正常であると判断する。人に体調の異常があり、リフレクタ４３に手をかざすことが出来ない場合には、受光量の変化を検出出来ない。この際には、人が倒れている等の緊急状態と推定し、演算回路５４より緊急信号を発する。同時にスピーカ５６より電子警告音を発する。
【０１０９】
このことにより、風呂場以外にいる他の人に緊急状態を報知することが出来る。扉感知センサ１５への赤外線の受光量の変化検出の後も３０分毎にかかる処理を繰り返す。しかしながら、次の問い合わせは、時間を短縮して問い合わせるようにしてもよい。また、緊急信号を解除するにはリフレクタ４３に手をかざすか、扉を開するか、又は人の退出により解除可能である。
なお、風呂場にアダプタ５等を配設する場合には、アダプタ５等を防水構造とするのが望ましい。
【０１１０】
以上により、電球を交換する程度の簡単な作業でアダプタ５等を配設出来る。そして、自動照明点滅動作により照明の消し忘れ等に対処可能であり、また、人の異常状態に対し注意を喚起したり、その状態を他人に報知することが出来る。なお、風呂場の他、各室内やトイレ等の場合もタイマー設定を異ならせるだけで上述と同様に適用可能である。
【０１１１】
また、鋭角な指向性を有する人感知センサ１３を感知エリアを重複若しくは異ならせるように複数個配置することで人の動きを感知可能なようにしてもよい。この場合には、人の動きが止まってから所定時間経過したときリフレクタ４３に手をかざすように音声案内を行い、それでも継続して静止状態が続き、扉が開閉されない場合には人が倒れている等の緊急状態と判断する。
【０１１２】
なお、電源ラインの引き込み口付近には、搬送波等が外部に漏れるのを防止するためフィルタ１３１が配設されるのが望ましい。
また、パルス信号は電源ラインに乗せるのではなく、各機器側よりパルス信号を変調した後電波で送信し、変換器１２０側で受信後復調するようにしてもよい。
【０１１３】
図１３には、複数台の機器（アダプタ５以外は図中省略）で検出された緊急状態を変換器１２０に伝え、電話機１３７により送信する場合の構成図を示す。
この場合には、各機器で検出された緊急信号が演算回路５４でパルス信号化され、変調器１２１により搬送波で変調され、電源ラインに乗せられる。そして、変換器１２０のフィルタ１２３で交流と分離された後、このパルス信号は演算部１２９に入力される。その後、電話機１３７を介して音声ＩＣにより相手先に人の異常が伝えられる。
【０１１４】
なお、設備導入当初はアダプタ５のみを設置し、その後、必要に応じて他の機器を増設したり、変換器１２０を配設することも可能である。この場合の設置は増設分のみに対し簡単に行える。既存設備の改造工事は不要である。
【０１１５】
次に、本発明の第６実施形態について説明する。
本発明の第６実施形態は、図１４に示すように、人感知センサ１３及び緊急ボタン１３３をボックス１３０に配設したものである。ボックス１３０は、アダプタ５からケーブルで延長され、壁等に取り付け可能である。
【０１１６】
かかる構成において、緊急ボタン１３３を押すことで、演算回路５４に緊急信号として入力される。その後は、パルス信号として電源ラインに乗せられ、復調された後、演算部１２９に入力される。
【０１１７】
そして、電話機１３７で人の異常が相手先に伝えられる。但し、変調器１２１や変換器１２０によらず、アダプタ５のスピーカ５６より電子警告音を発するようにしてもよい。この場合、他の同居人がいる場合に風呂場やトイレ等に設置すると効果的である。また、変換器１２０等の不要な分安価に構成出来る。
以上により、人の体調異常時に速やかな対応が行える。
【０１１８】
次に、本発明の第７実施形態について説明する。
本発明の第７実施形態は、不法侵入者を検知し、報知するものである。以下、アダプタ５を例に説明するが、他の機器でも同様である。
【０１１９】
図１５に示すように、アダプタ５には、演算回路５４と接続される外部端子１４１が配設されている。この外部端子１４１には、外部ケーブル１４２を介して屋外の外壁等に取り付けられた外部端子ボックス１４３の外出中スイッチ１４５が接続されている。
【０１２０】
かかる構成において、人が外出時に外出中スイッチ１４５を入り操作すれば、演算回路５４より所定の外出中パルスが発せられる。演算部１２９では、この外出中パルスが検知されたとき、不法侵入警戒モードが開始され、その後に扉感知センサ及び人感知センサからのパルス信号を受信したとき不法侵入であると推定する。
【０１２１】
そして、電話機１３７がダイヤル自動接続回路１３５により予め設定した電話番号に接続される。その後、音声ＩＣにより相手先に不法侵入である旨が伝えられる。
人が家に戻ったときには外出中スイッチ１４５を解除する。このとき、演算回路５４より所定の在宅パルスが発せられる。この在宅パルスは、演算部１２９に伝えられ、不法侵入警戒モードが解除される。
【０１２２】
なお、外部ケーブル１４２が切断されたりした場合を考慮し、外出中スイッチ１４５に並列に抵抗を配設し、わずかの電流を常時ながしておく。この電流が検出されなくなったとき、異常と判断し報知するようにしてもよい。
【０１２３】
外部端子ボックス１４３は、目立たない場所に取り付けることが望ましいが、このため、外部端子ボックス１４３に距離的に最も近い機器の外部端子１４１に外部ケーブル１４２を接続可能である。
また、変換器１２０に外出中スイッチ１４５を接続し、所定の外出中パルスを直接演算部１２９に入力するようにしてもよい。
【０１２４】
なお、外出先のプッシュ電話や携帯電話からこの不法侵入警戒モードを設定可能である。この場合には、電話機１３７に接続後、音声案内がされている間に予め設定した暗証番号を入力する。この暗証番号は、周波数分析され、番号等が認識される。暗証番号が一致したときには、現在のモードを案内する。
【０１２５】
このとき、例えば、不法侵入警戒モードに変更するための番号（例えば１）を入力することで不法侵入警戒モードが選択される。その後、不法侵入警戒モードが選択されたことを音声案内する。一方、不法侵入警戒モードを解除する場合には例えば０を入力する。
【０１２６】
以上により、不法侵入のされている旨を確認できる。なお、不法侵入者が侵入しようとする際には突然照明等が点灯する。このため、被害無く退散する可能性が非常に大きい。また、家人が寝室で就寝中に、不法侵入者が寝室以外の他の部屋に入った場合にも照明等が点灯するため、不法侵入者は退散する可能性が非常に大きい。
【０１２７】
更に、カメラを配置し、不法侵入のされた部屋を照明等の点灯と同時に撮像するようにしてもよい。この際には、アダプタ５、１０５、壁埋め込み型化粧パネル６１、パネル１１１等又は変換器１２０より不法侵入の旨の信号を出力し、この信号に基づきカメラを操作するのが望ましい。アダプタ５等から不法侵入の旨の信号を出力するためには、後述の図１７の緊急信号１６５を用いて操作することが可能である。
【０１２８】
次に、本発明の第８実施形態について説明する。
本発明の第８実施形態は、火災を検知し、報知するものである。図１６において、煙感知センサ１５１が天井に取り付けられる機器であるアダプタ５、１０５に配設されている。
【０１２９】
煙感知センサ１５１で検出された信号は演算回路５４に入力されるようになっている。スピーカ１５３が、アダプタ５、１０５に設けられており、このスピーカ１５３は演算回路５４と接続されている。但し、ボックス１３０が配けられる場合には、このボックス１３０内にスピーカ１５３を配設するのが望ましい。
【０１３０】
かかる構成において、煙感知センサ１５１により煙が感知された場合には、演算回路５４でパルス信号が送出される。そして、スピーカ１５３より火災である旨の案内や警報等が音声ＩＣより出される。パルス信号は、図示しないダイヤルスイッチの切替えにより機器毎にパルス幅を異ならせることが可能である。
【０１３１】
また、パルス信号は符号化するようにしてもよい。パルス信号は演算部１２９に伝えられる。この際にはどの機器から送信されたパルス信号であるか認識出来る。演算部１２９の音声ＩＣには、機器毎に対応させて、例えば「台所が火事です」「寝室が火事です」「居間が火事です」等の予め用意した言葉を割り付ける。
【０１３２】
そして、スピーカ１２８よりこの案内をすると共に電話機１３７をダイヤル自動接続回路１３５により予め設定した電話番号に接続する。その後、音声ＩＣにより相手先に「寝室が火事です」等の案内が伝えられる。
【０１３３】
誤報の場合には変換器１２０及びボックス１３０の図示しないリセットボタンを押す。リセット信号は演算回路５４、演算部１２９に伝えられ火災信号の解除が行われる。
【０１３４】
以上により、どこで火事が生じたのか具体的に判断出来、逃げ口の選択や消火活動を素早く行うことが出来る。また、回路や煙感知センサ１５１に供給する電源等は、独立したものを用意する必要が無く、その分簡素に構成出来、安価である。
【０１３５】
次に、本発明の第９実施形態について説明する。
本発明の第９実施形態は、電話機１３７がダイヤル自動接続回路１３５により予め設定した電話番号に接続された後、相手先と会話することが出来るようにするものである。
【０１３６】
図１７に本発明の第９実施形態の回路構成図を示す。なお、図１１〜図１６と同一要素のものについては同一符号を付して説明は省略する。図１７において、演算回路５４で出力されたパルス信号は、切換回路１５５を介して変調器１２１で変調され、電源ラインに乗せられる。変換器１２０の復調器１２５で復調された後、信号判別器１７１でパルス信号と判断された信号は、演算部１２９に伝えられる。
【０１３７】
演算部１２９で人異常の推定がされたとき、「大丈夫ですか。部屋を移動出来ますか。」等の移動を促す音声案内が音声ＩＣより切換回路１６９を介してスピーカ１２８から発せられる。同時に、この音声信号は変調器１５７を介して電源ラインに乗せられる。そして、アダプタ５のフィルタ１５９、復調器１６１を介してスピーカ１５３より同じ音声案内がされる。
【０１３８】
この音声案内の後、何らのパルス信号の変化がないとき、演算部１２９で人の異常と判断され電話機１３７がダイヤル自動接続回路１３５により予め設定した電話番号に接続される。この際には、人異常信号が変調器１５７を介して電源ラインに乗せられる。
【０１３９】
そして、アダプタ５のフィルタ１５９、復調器１６１を介して信号判別器１６３で人異常の緊急信号１６５が判定される。この緊急信号１６５により、切換回路１５５はマイク１６７からの音声信号を通すように切り換えられる。なお、マイク１６７は、人感知センサ１３、スピーカ１５３及び緊急ボタン１３３と同様にボックス１３０に配設されるのが望ましい。
【０１４０】
その後、「人に異常があります。」の案内が電話機１３７を通じて相手先に伝えられる。スピーカ１２８及びスピーカ１５３からも同じ案内がされる。所定回数の案内の後、切換回路１６９は電話機１３７と変調器１５７を接続する。
【０１４１】
これにより、電話機１３７で相手先より受けた話は変調器１５７、復調器１６１を介してスピーカ１５３から聞こえる。一方、マイク１６７で抽出された音声は切換回路１５５、変調器１２１、復調器１２５、音声増幅器１７３、電話機１３７を介して相手先に伝えられる。
【０１４２】
また、人が緊急ボタン１３３を押した場合には、この信号が演算部１２９で判断され、電話機１３７で人の異常が相手先に伝えられる。その後、切換回路１５５、１６９が切り換えられるのは前述と同様である。
【０１４３】
以上により、相手先からの問い合わせに答えることが出来る。なお、緊急状態の判断や音声案内が、各機器毎にされる場合には、変換器１２０側から各機器に対し音声案内等は行われない。この際には、信号判別器１６３は不要である。
【符号の説明】
【０１４４】
１  ソケット
３  電球
５、１０５  アダプタ
７、３１  電極部
９  開口
１３、６９  人感知センサ
１５、７１  扉感知センサ
１７  角状筒部
２１  フック
３３  内部ソケット
３７  プルスイッチ
４１  扉
４３  リフレクタ
５４  演算回路
５６、１２８、１５３  スピーカ
６１  壁埋め込み型化粧パネル
７３  筒部
９０  天井吊り下げ型照明器具
９１  ボディ
１１１  パネル
１２０  変換器
１２１、１５７  変調器
１２５、１６１  復調器
１２９  演算部
１３０  ボックス
１３３  緊急ボタン
１３５  ダイヤル自動接続回路
１３７  電話機
１４５  外出中スイッチ
１５１、１６９  煙感知センサ
１５５  切換回路
１６５  緊急信号
１６７  マイク
【図１】
0005548995.tif 000002
【図２】
0005548995.tif 000003
【図３】
0005548995.tif 000004
【図４】
0005548995.tif 000005
【図５】
0005548995.tif 000006
【図６】
0005548995.tif 000007
【図７】
0005548995.tif 000008
【図８】
0005548995.tif 000009
【図９】
0005548995.tif 000010
【図１０】
0005548995.tif 000011
【図１１】
0005548995.tif 000012
【図１２】
0005548995.tif 000013
【図１３】
0005548995.tif 000014
【図１４】
0005548995.tif 000015
【図１５】
0005548995.tif 000016
【図１６】
0005548995.tif 000017
【図１７】
0005548995.tif 000018